(57)【要約】【課題】分岐ブレーカの出力端子に接続される電線に変流器を介在させる必要がなく、もって変流器を配設する分電盤スペースが不要となり、分電盤の小型化が図れる分電盤用機器を提供する。【解決手段】分岐ブレーカ２は主幹ブレーカ１に接続された導電バー５に接続される。器体６は導電バー５に差込接続される受刃８を一端面側に配設するとともに他端面側に負荷へ接続される出力端子１１を配設している。変流器７は器体６内に配設され受刃８および出力端子１１間の電路が貫通し二次出力線２５を器体６の他端面側から外部へ導出させている。【選択図】        図１
2006196335.tif 000002
【特許請求の範囲】
【請求項１】
入力端子を一端面側に配設するとともに他端面側に負荷へ接続される出力端子を配設した器体と、この器体内に配設され前記入力端子および前記出力端子間の電路が貫通し二次出力線を前記器体の前記他端面側から外部へ導出させた変流器とを備えた分電盤用機器。
【請求項２】
主幹ブレーカに接続された導電バーに接続される分電盤用機器であって、
前記導電バーに差込接続される受刃を一端面側に配設するとともに他端面側に負荷へ接続される出力端子を配設した器体と、この器体内に配設され前記受刃および前記出力端子間の電路が貫通し二次出力線を前記器体の前記他端面側から外部へ導出させた変流器とを備えた分電盤用機器。
【請求項３】
前記二次出力線は、極性を表示させて前記器体から導出した請求項２記載の分電盤用機器。
【発明の詳細な説明】
【技術分野】
【０００１】
本発明は、主幹ブレーカに接続された導電バーに接続される分岐ブレーカ等の分電盤用機器に関する。
【背景技術】
【０００２】
従来例（例えば特許文献１参照）は、例えば図４に示すように、分電盤内の主幹ブレーカ５０に接続された各分岐ブレーカ５１の出力端子５２の近辺に変流器５３を配設し、これらの変流器５３の二次出力線５５を引き回して検出電流合成装置５４に接続していた。検出電流合成装置５４は、配電系統の電力消費状況を監視するため、分岐配電回路ごとに検出された電流を合成し、電力量監視装置等の電力計測装置に入力するものである。なお図の左右の分岐ブレーカは変流器５３が中性線側でなく電源線側の電路に介在するように２種類のブレーカを用いている。
【０００３】
しかし、変流器５３を分岐ブレーカ５２の近辺に配設しているため、分電盤内に変流器５３の配置スペースが必要となり分電盤が大型化したり、あるいは分電盤内の狭いスペースで変流器を配設することとなるため、その配設作業が大変煩わしいという問題があった。
【特許文献１】特開2001−208778号
【発明の開示】
【発明が解決しようとする課題】
【０００４】
本発明は、かかる事由に鑑みて成されたものであり、その目的とするところは、分岐ブレーカの出力端子に接続される電線に変流器を介在させる必要がなく、もって変流器を配設する分電盤スペースが不要となり、分電盤の小型化が図れる分電盤用機器を提供することである。
【課題を解決するための手段】
【０００５】
本発明の分電盤用機器は、器体が入力端子を一端面側に配設するとともに他端面側に負荷へ接続される出力端子を配設している。変流器は器体内に配設され前記入力端子および前記出力端子間の電路が貫通し二次出力線を前記器体の前記他端面側から外部へ導出させている。
【０００６】
別の本発明の分電盤用機器は、主幹ブレーカに接続された導電バーに接続される分電盤用機器である。器体は前記導電バーに差込接続される受刃を一端面側に配設するとともに他端面側に負荷へ接続される出力端子を配設している。変流器は器体内に配設され前記受刃および前記出力端子間の電路が貫通し二次出力線を前記器体の前記他端面側から外部へ導出させている。
【０００７】
上記構成において、前記二次出力線は、極性を表示させて前記器体から導出している。
【発明の効果】
【０００８】
この発明の分電盤用機器によれば、器体内に配設された変流器で負荷に流れる電流を測定することができるので、分岐ブレーカの出力端子に接続される電線に変流器を介在させる必要がなく、もって変流器を配設する分電盤スペースが不要となり、分電盤の小型化が図れる。また、予め器体内に変流器を内蔵しているので、作業者が変流器の極性を間違って配設する恐れがない。さらに、変流器の二次出力線を出力端子側となる器体の他端面側から導出しているので、二次出力線を分電盤内に引き回し安く、かつ、どの分電盤用機器からの二次出力線なのか容易に判別することができる。
【０００９】
別の発明の分電盤用機器によれば、器体内に配設された変流器で負荷に流れる電流を測定することができるので、分岐ブレーカの出力端子に接続される電線に変流器を介在させる必要がなく、もって変流器を配設する分電盤スペースが不要となり、分電盤の小型化が図れる。しかも、変流器を分電盤内に配設する配設作業が省略できるので機器の組み込み作業が簡単になる。分電盤用機器は導電バーに受刃を差し込み接続する構成のため分電盤用機器を導電バーに接続する作業性がよい。また、予め器体内に変流器を内蔵しているので、作業者が変流器の極性を間違って配設する恐れがない。さらに、変流器の二次出力線を出力端子側となる器体の他端面側から導出しているので、二次出力線を分電盤内に引き回し安く、かつ、どの分電盤用機器からの二次出力線なのか容易に判別することができる。その結果、分電盤全体としての組立作業性が著しく向上できる。
【００１０】
また、変流器の二次出力線を外部の各種機器に接続する際、その極性を合わせるのが容易となる。
【発明を実施するための最良の形態】
【００１１】
本発明の一実施の形態の分電盤用機器を適用した分電盤を図１から図３により説明する。分電盤は、主幹ブレーカ１、分電盤用機器である複数の分岐ブレーカ２、検出電流合成装置３を有する。
【００１２】
主幹ブレーカ１は、図１で分電盤の上左側スペースに設置され、上端に入力端子１３を有し、下端の出力端子１４に略Ｌ字形の複数の接続バー４の一端４ａを接続している。接続バー４の各他端４ｂには複数の導電バー５の上端がそれぞれ接続されている。複数の導電バー５は、縦に延びかつ図１の紙面に垂直な方向に間隔をおいて複数段に重ねて配置されている。
【００１３】
複数の分岐ブレーカ２は、導電バー５の両側に沿って並んでおり、それぞれ主幹ブレーカ１に接続された複数の導電バー５のうちの２本、たとえば電源線と中性線とに接続される。各分岐ブレーカ２は外殻となる器体６およびそれに内蔵された変流器７を有する。
【００１４】
器体６は、その一端面９側に入力端子２４を有するとともに、入力端子２４に接続する受刃８を有する導電バー接続用のアダプタ２７が入力端子２４を覆うように取付られ、これによって導電バー５に差込接続される２つの受刃８を器体６の一端面９側に配設している。したがって、アダプタ２７の受刃８が導電バー５の上記２本に差し込まれると入力端子２４が導電バー５に接続される。また器体６の他端面１０側に負荷へ接続される２つの出力端子１１を配設している。出力端子１１は速結端子を用い、負荷線２８が接続される。
【００１５】
器体６の内部において、受刃８と出力端子１１との間の電路には、出力端子１１側に可動接触子１４と固定接触子１５からなる接点部１６が介在され、電源線側の電路には接点部１６と直列に受刃８側に異常電流検出手段１２が介在されている。
【００１６】
可動接触子１４は図３に示すように、開閉・トリップ機構１７に保持されている。開閉・トリップ機構１７は、ハンドル１８、レバー１９、ハンドル１８とレバー１９の中間を連接する反転リンク２０、レバー１９の一端を係止し異常電流検出手段１２の動作によりレバー１９の一端の係止を引外す引外し手段２１、可動接触子１４を保持し、レバー１９の他端側に係止する回動自在な可動枠２２、可動枠２２を可動接触子１４が開極する方向に付勢するとともにレバー１９を押し上げ付勢する開極ばね２３、を有する。
【００１７】
変流器７は器体６内に配設され、受刃８および出力端子１１間の電路の異常電流検出手段１２と接点部１６との間の部分が１次側として貫通し、二次出力線２５を器体６の他端面１０側から外部へ導出させている。この変流器７は電源線側の電路と中性線側の電路のうちの前者の電路を貫通する。さらに詳しくは、変流器７は図３に示すように器体６の底部の入力端子２４寄りに配置され、異常電流検出手段１２と可動接触子１４とを接続する電路を構成する可撓電線２６を変流器７に貫通している。また二次出力線２５は、極性を表示させて器体６から導出し、検出電流合成装置３に接続している。
【００１８】
図３において、ハンドル１８を左側に倒すと、レバー１９が引外し手段２１の係止状態で反転リンク２０に押され開極ばね２３に抗して可動枠２２を押し、可動枠２２を回動させ、可動接触子１４が固定接触子１５に接触し、分岐ブレーカ２がオンとなる。このため主幹ブレーカ１、接続バー４、導電バー５を通して受刃８と、負荷に接続された出力端子１１との間に電流が流れる。この電流により変流器７の二次出力線２５に出力が現れ、検出電流合成装置３に入力される。
【００１９】
なお、分電盤用機器は分岐ブレーカに限らす、分電盤に組み込まれる機器が含まれる。
【図面の簡単な説明】
【００２０】
【図１】本発明の一実施の形態の分電盤の平面図である。
【図２】分岐ブレーカの変流器の配置を示す概略図である。
【図３】分岐ブレーカのオフ状態の概略断面図である。
【図４】従来例の分電盤の平面図である。
【符号の説明】
【００２１】
１    主幹ブレーカ
２    分岐ブレーカ
３    検出電流合成装置
５    導電バー
６    器体
７    変流器  
８    受刃
９    一端面
１０    他端面
１１    出力端子
２５    二次出力線  
【図１】
2006196335.tif 000003
【図２】
2006196335.tif 000004
【図３】
2006196335.tif 000005
【図４】
2006196335.tif 000006